(57)【要約】【課題】  筐体内に複数の発熱体が設置される電気機器でも、筐体内の放熱が効率良く行える電気機器の放熱構造を提供する。【解決手段】  筐体１内に複数の発熱体としてＤＶＤ装置６、ＢＤ装置７、カードリーダー８、ＨＤ装置９等が設置され、筐体１は内部空間を複数の区画２０，２１に分割する仕切り板１８を備え、複数の発熱体は複数の区画内に配置され、複数の区画ごとに放熱手段としてファン２２，２３が設置される。複数の発熱体のうちの少なくとも１つであるＢＤ装置７は、発熱体自体の放熱を行う個別放熱手段として個別ファン２５を備えており、個別ファンから排出される放熱排気は、放熱通路を構成するダクト２７により筐体１の外部に導かれ、排気孔２６から排出される。ダクトは個別ファンおよび／または筐体の排気孔２７にクッション材２８を介して接続される。【選択図】  図５
2006140415.tif 000002
【特許請求の範囲】
【請求項１】
筐体の内部空間に複数の発熱体が設置される電気機器の放熱構造であって、
前記筐体は内部空間を複数の区画に分割する仕切り材を備え、前記複数の区画ごとに放熱手段が設置されることを特徴とする電気機器の放熱構造。
【請求項２】
前記複数の発熱体のうちの少なくとも１つは、発熱体自体の放熱を行う個別放熱手段を備えており、該個別放熱手段から排出される放熱排気は放熱通路により前記筐体の外部に導かれることを特徴とする請求項１に記載の電気機器の放熱構造。
【請求項３】
前記放熱通路は、前記個別放熱手段と、筐体の排気孔とを連通させるダクトから構成されることを特徴とする請求項２に記載の電気機器の放熱構造。
【請求項４】
前記個別放熱手段を有する発熱体は、前記筐体にフローティング支持されており、前記ダクトは前記個別放熱手段および／または筐体の排気孔に緩衝体を介して接続されることを特徴とする請求項３に記載の電気機器の放熱構造。
【請求項５】
前記個別放熱手段を有する発熱体は、前記筐体にフローティング支持されており、前記ダクトは可撓性を有することを特徴とする請求項３に記載の電気機器の放熱構造。
【請求項６】
請求項１〜５のいずれかに記載の電気機器の放熱構造を用いたことを特徴とする記録再生装置。
【発明の詳細な説明】
【技術分野】
【０００１】
本発明は、筐体内に発熱体を設置している電気機器の放熱構造に係り、特に、筐体内に発熱体となる装置が複数ある場合に、効率良く放熱できると共に、設置される複数の装置の熱干渉を防止して複数の装置を安定して作動させることができる電気機器の放熱構造と、この放熱構造を用いた記録再生装置に関する。
【背景技術】
【０００２】
従来、筐体内に発熱体となる複数の装置を設置している電気機器としては、例えば、特許文献１に記載のツインデッキタイプのオーディオ装置がある。このオーディオ装置は、再生専用デッキと記録専用デッキとを有し、再生専用デッキ用のデコード回路及び記録専用デッキ用のエンコード回路の双方が、１つの回路の統合されており、再生専用デッキと記録専用デッキが筐体内に水平に並べられた状態で設置されている。
【０００３】
【特許文献１】特開２００３−２８８７７１号公報
【発明の開示】
【発明が解決しようとする課題】
【０００４】
ところで、前記構造のオーディオ装置は、筐体内に２つの発熱体となる装置として再生専用デッキと記録専用デッキとが配置されており、筐体内の温度が上昇する虞があった。また、２つの装置は作動状態により、すなわち待機時あるいは作動時等により放熱量が異なるため、筐体内に温度差が生じて相互に熱的に干渉し、オーディオ装置の各種機能を実行する際に不具合を生ずる虞がある。特に、一方の発熱体の発熱量が大きいときに、発熱量の小さい発熱体に影響を及ぼすことがある。
【０００５】
本発明は、このような事情に鑑みてなされたものであって、その目的とするところは、筐体内に複数の発熱体が設置される電気機器において、筐体内の放熱が効率良く行える電気機器の放熱構造を提供することにある。また、複数の発熱体のうち、発熱体自体に装着された個別の放熱手段を備える場合は、個別の放熱手段の熱を別の放熱通路を通して筐体外に放熱して筐体内の温度上昇を防ぐ電気機器の放熱構造を提供することにある。
【課題を解決するための手段】
【０００６】
前記目的を達成すべく、本発明に係る電気機器の放熱構造は、筐体の内部空間に複数の発熱体が設置される電気機器の放熱構造であって、前記筐体は内部空間を複数の区画に分割する仕切り材を備え、前記複数の区画ごとに放熱手段が設置されることを特徴としている。複数の発熱体とは、ＤＶＤ装置、ＢＤ装置、ＨＤ装置やカードリーダー等の装置の他に、ＣＰＵ等を固定した基板等も含む。仕切り材としては、板状の仕切り板が好ましい。また、放熱手段は、区画内に設置された発熱体の発熱量に合わせて能力を決めることが好ましい。仕切り材は筐体の内部空間を複数の区画に密閉状態に分割する必要はなく、放熱手段による空気流が制限され、１つの区画の空気流が他の区画に進入しないようにできればよい。
【０００７】
前記のごとく構成された本発明の電気機器の放熱構造は、筐体の内部空間が仕切り材により複数の区画に分割され、区画ごとに放熱手段で放熱するため、ある１つの区画内に設置された発熱体の熱はその区画に設置された放熱手段により放熱され、筐体内に設置された複数の発熱体間の熱的な干渉を防止でき、効率良い放熱が可能となる。その結果、筐体内の温度上昇を押えて電気機器の作動や各種機能を安定させて実行させることができる。１つの区画内に複数の発熱体が設置される場合でも、複数の発熱体の放熱量に見合う放熱手段を設ければよい。
【０００８】
また、本発明に係る電気機器の放熱構造の好ましい具体的な態様としては、前記複数の発熱体のうちの少なくとも１つは、発熱体自体の放熱を行う放熱ファン等の個別放熱手段を備えており、この個別放熱手段から排出される放熱排気は、筐体内を通る放熱通路により筐体の外部に導かれることを特徴としている。この構成によれば、発熱体となる装置自体が個別の放熱手段を備えているときには、この個別放熱手段による排熱を筐体外に直接排気して筐体内の温度を上昇させないため、効率良い放熱が可能となる。
【０００９】
さらに、本発明に係る電気機器の放熱構造の好ましい具体的な他の態様としては、前記放熱通路は、個別放熱手段と、筐体の排気孔とを連通させるダクトから構成されることを特徴している。ダクトはパイプ状のものが好ましい。この構成によれば、発熱体である装置に設けられた個別の放熱手段から排出される排気は電気機器の筐体内に排出されず、ダクトを通して直接筐体の外部に排出されるため、筐体内で発生した熱を効率的に放熱することができる。
【００１０】
個別放熱手段を有する発熱体は、前記筐体にフローティング支持されているときは、前記ダクトは排気孔に緩衝体を介して接続されることが好ましい。すなわち、発熱体である装置が衝撃や振動に弱く、緩衝の目的で筐体から浮かしてフローティング支持されているときには、例えばゴム製のクッション体や樹脂発泡体等の緩衝体を挟んでダクトと発熱体および／または筐体を接続することが好ましい。このように構成すると、筐体等に衝撃が加わった場合でも、この衝撃がダクトを介して直接発熱体である装置に伝わらず、フローティング支持された装置の機能を妨げることがない。
【００１１】
また、個別放熱手段を有する発熱体は、前記筐体にフローティング支持されているときは、前記ダクトは可撓性を有するもので形成することが好ましい。蛇腹状のパイプやゴム製等の可撓性を有するパイプが特に好ましい。この構成によれば、発熱体である装置が衝撃や振動に弱く、緩衝の目的で筐体から浮かしてフローティング支持されているときでも、装置の移動を妨げないようにしているため、衝撃等がダクトを介して直接発熱体である装置に伝わらず、装置の安定作動が可能となる。
【００１２】
本発明に係る記録再生装置は、前記したいずれかに記載の電気機器の放熱構造を用いた記録再生装置である。この記録再生装置は、発熱体としては例えばＤＶＤ装置、ＨＤ装置、ＢＤ装置等を設置している。この構成によれば、発熱体であるＤＶＤ装置、ＨＤ装置、ＢＤ装置等のそれぞれから発生する熱は、仕切り材で分割された区画内に保たれて隣接する区画に進入せず、それぞれの区画に設置された放熱手段により筐体の外部に排出されるため、発熱体である装置同士の熱干渉が防止され、効率良い放熱が可能となる。
【発明の効果】
【００１３】
本発明の電気機器の放熱構造は、筐体内に複数の発熱体となる装置等が設置される場合、筐体内を複数の区画に分割して各区画に発熱体を配置し、区画ごとに放熱ファン等の放熱手段を備えるため、複数の発熱体の熱干渉を少なくして効率良い放熱が可能となる。また、発熱体である装置自体が放熱用の個別の放熱手段を備える場合は、この放熱手段からの排気を筐体外に直接排気することで、より効率を高めることができる。
【発明を実施するための最良の形態】
【００１４】
以下、本発明に係る電気機器の放熱構造の一実施形態を図面に基づき詳細に説明する。  図１は、本実施形態に係る電気機器の放熱構造を用いた電気機器として記録再生装置の斜視図、図２は図１の記録再生装置の前面の蓋体を開いた状態の斜視図、図３は図１，２の内部構造を示す上板を外した状態の斜視図、図４は図３のＡ−Ａ線に沿う要部断面図、図５は図１の筐体の上板を外した状態の背面側から見た斜視図、図６は図５を模式的に示す上板を外した状態の斜視図、図７は放熱通路部分を分解して示す斜視図、図８は図７の放熱通路部分の要部断面図である。
【００１５】
図１〜６において、本実施形態の記録再生装置Ｄは、筐体１内に発熱体となる複数の装置が設置されている。この筐体の前面部には蓋体２が開閉可能に支持されている。蓋体２は前面側に動作状態を示す表示部として、表示部３Ａ、３Ｂ、３Ｃを備えるとともに、裏面側に各種の操作スイッチ４Ａ、４Ｂ、４Ｃ等を備えている。蓋体２を開けた筐体１の前面には各種の表示部５Ａ、５Ｂ、５Ｃ、コネクタ部等が配置されている。
【００１６】
筐体１の内部には、発熱体としてＤＶＤ（Ｄｉｇｉｔａｌ  Ｖｅｒｓａｔｉｌｅ  Ｄｉｓｋ）装置６、ＢＤ（Ｂｌｕｅ−ｒａｙ  Ｄｉｓｋ）装置７、カードリーダー８、ＨＤ（Ｈａｒｄ  Ｄｉｓｋ）装置９の４つの装置が設置されている。蓋体２を開けるとＤＶＤ装置６にディスクを挿入する挿入口６ａやＢＤ装置７にディスクを挿入する挿入口７ａ、カードリーダー８にカードを挿入する挿入口８ａが設けられている。カードリーダー８はＢＤ装置７の下方に設置され、ＨＤ装置９はＤＶＤ装置６の下方に設置されている。左の表示部３ＡはＤＶＤ装置６の動作状態を表示し、右の表示部３ＣはＢＤ装置７の動作状態を表示し、中央の表示部３ＢはＨＤ装置９の動作状態を表示する。
【００１７】
筐体１は左右の端部が前方に突出した受部１ａ、１ｂとなっており、蓋体２は左右の受部の間に挟まれた状態で支持され、受部１ａ、１ｂの前面と蓋体２の前面が同じ高さで平坦となっている。蓋体２は右側の受部１ｂ内のロック機構（図示せず）で保持されており、ロック１ｃ（図２参照）が解除されると自重で回転し、左側の受部１ａ内の開閉機構（図示せず）でダンパー機構により開閉速度が制御されて水平状態まで開く構成となっている。
【００１８】
蓋体２のロック機構は適宜の機構が用いられ、手動で押しボタンを押して解除するもの、リモコン等で操作してモータを回転させて開蓋するもの等、適宜の機構を用いることができる。受部１ａ内に電源スイッチ１Ａが設置され、受部１ｂ内に蓋体２の開閉スイッチ１Ｂが設置されている。なお、開閉スイッチの代わりに押しボタンを押込んでロックを解除し、蓋体２を開けるようにしてもよい。
【００１９】
記録再生装置Ｄは、扁平な直方体状の筐体１を備えており、筐体１は前面には表示部３Ａ，３Ｂ，３Ｃを備える蓋体２が装着され、底面部１１、左右の側面部１２，１３、裏面部１４を備えるとともに、上部を覆う上面板１５を備えている。そして、上面板１５を外し、筐体１の上部を開放した状態の図５に示すように、底面部１１の前部には、吸気口として円形の多数の吸気孔１１ａが１列に並んで形成されている。なお、吸気口として長円形や長方形の吸気スリット等を形成してもよい。
【００２０】
記録再生装置Ｄは、前記のように筐体１内に複数の発熱体としてＤＶＤ装置６と、ＢＤ装置７、カードリーダー８およびＨＤ装置９の４つの装置が設置されている。４つの装置は電源が投入されると待機状態となり、発熱体となって装置自体が昇温し、隣接する空間や接触する部材等が加熱される。本実施形態では、正面から見て左方の上段にＤＶＤ装置６が、左方の下段にＨＤ装置９が設置され、ＤＶＤ装置６およびＨＤ装置９はフレームＦ１，Ｆ２により固定されている。また、右方の上段にＢＤ装置７が、右方の下段にカードリーダー８が設置され、ＢＤ装置７はフレームＦ３、Ｆ４にフローティング支持されている。
【００２１】
すなわち、ＢＤ装置７は、振動や衝撃の影響を受けやすい装置であるため、図４に示すように筐体１内のフレームＦ３、Ｆ４に対してばねやゴム等のクッション材１６を介して、例えば４本のボルトナット１７により支持され、ＢＤ装置７は筐体１のフレームＦ３、Ｆ４から浮いた状態で支持されている。この構成により、ＢＤ装置７は筐体１に対して水平方向に僅かに移動できる構成となっており、筐体１に衝撃等が加わっても、その衝撃は直接ＢＤ装置７に伝わらないように構成されている。
【００２２】
筐体１内には内部空間を左右の２つの区画に仕切る仕切り板１８がＤＶＤ装置６とＢＤ装置７との間に垂直に配設され、この仕切り板１８により筐体１内は左右の区画２０，２１に分割される。この結果、左方の区画２０内にＤＶＤ装置６およびＨＤ装置９が設置され、右方の区画２１内にＢＤ装置７およびカードリーダー８が設置される。仕切り板１８は合成樹脂板材から長方形状に形成され、後方の下方が設置される部品を避けるため一部切除されている。仕切り板１８の長さは筐体の前後方向の長さの３分の２程度であり、後端が裏面部１４と近接して前端は前面部との間に前方空間を有している。この前方空間にはメイン基板等が位置している。
【００２３】
裏面部１４は金属製の板材で形成され、それぞれの区画２０，２１に対応して排気型の放熱手段として放熱ファン２２，２３が固定されている。したがって、左方の区画２０に設置されたＤＶＤ装置６およびＨＤ装置９から排出される熱は左方の放熱ファン２２を通して裏面部の排気スリットから放熱され、右方の区画２１に設置されたＢＤ装置７およびカードリーダー８から排出される熱は右方の放熱ファン２３を通して裏面部の排気スリットから放熱される構成となっている。
【００２４】
また、右方区画２１の上部に設置されたＢＤ装置７は、裏面側に装置自体の放熱を行う個別のファン２５を備えており、この個別ファンはＢＤ装置７内の熱を装置外に放熱するものである。裏面部１４にはＢＤ装置７のファン２５と対向する位置に複数のスリットからなる排気孔２６が形成され、この排気孔とファン２５とをダクト２７が連結している。この構成により、ＢＤ装置７のファン２５から排出される放熱排気は、ダクト２７と排気孔２６で構成される放熱通路により筐体１の外部に導かれる。
【００２５】
そして、図７,８に詳細に示すように、筐体１の排気孔２６とＢＤ装置７に固定された個別のファン２５とを接続するダクト２７は、断面が長方形の四角筒状で中間部分が平行にずらされた形状をしている。ダクト２７はフレーム２７ａを介して筐体１のフレーム等に固定されている。ダクト２７は入口部分及び出口部分と、ファン２５及び排気孔２６を有する裏面部１４との間に緩衝材で形成されたクッション材２８が挟まれた状態で固定されている。すなわち、ダクト２７の入口と出口の接触部分はクッション材２８により密着して移動可能に接合しており、筐体１とＢＤ装置７との相対移動を妨げない構成となっていると共に、放熱排気を漏らさない構成となっている。
【００２６】
この構成により、筐体１に衝撃が加わっても、ゴム等のクッション材２８により筐体１の裏面部１４に接続されたダクト２７からＢＤ装置７に衝撃が伝わることも防止される。また、ＢＤ装置７はクッション材１６を介してフレームＦ２、Ｆ３にフローティング支持されて直接衝撃は伝達されないため、ＢＤ装置は安定した作動が可能となる。そして、ＢＤ装置７から排出される排気は、筐体１内に漏れることなく筐体外に排出されＢＤ装置７の放熱で内部空間の区画２１内の温度が上昇することはない。
【００２７】
前記の如く構成された本実施形態に係る電気機器の放熱構造の動作について以下に説明する。前記のように構成された本実施形態の記録再生装置Ｄの放熱構造では、電源が投入されてＤＶＤ装置６、ＢＤ装置７、カードリーダー８およびＨＤ装置９が操作可能状態となると、裏面部１４に固定されたファン２２，２３は起動して４つの発熱体である装置６〜９から排出される熱は筐体１外に排出される。すなわち、ＤＶＤ装置６とＨＤ装置９の起動により区画２０内に発生される熱はファン２２により筐体１の外部に排出され、ＢＤ装置７およびカードリーダー８の起動により区画２１内に発生される熱はファン２３により筐体１の外部に排出され、新鮮な空気が底面部１１の吸気孔１１ａから供給される。また、ＢＤ装置７の起動により内部より排出される放熱排気は、ＢＤ装置本体に取付けられた個別のファン２５によりダクト２７を通して排気孔２６から筐体１の外部に直接排出される。
【００２８】
このように、複数の発熱体であるＤＶＤ装置６、ＢＤ装置７、カードリーダー８、ＨＤ装置９の起動で発生する熱は、それぞれの区画２０，２１ごとに設置されたファン２２，２３により筐体１の外部に排出され、筐体の底面部１１に形成された吸気孔１１ａから新鮮な空気が供給されるため、筐体内の左右に分けられた区画で熱の相互干渉が起こらず、効率良く排気されて筐体内で高温の領域が発生せず電気機器の作動状態が安定する。特に、ＢＤ装置７とカードリーダー８の２つの装置が配置される左方の区画２１では、ＢＤ装置から発生する熱は装置内のファン２５により排出され、専用のダクト２７を通して排気孔２６から筐体１の外部に排出されるため、筐体内に排熱されず左方の区画２１の温度を上昇させない。
【００２９】
すなわち、筐体１内を２つの区画２０，２１に分ける仕切り板１８がない場合は、発熱源である４つのＤＶＤ装置６、ＢＤ装置７、カードリーダー８、ＨＤ装置９のそれぞれから発生する熱が隣接する装置の位置する区画まで進入して影響を及ぼすため、効率良い排気ができなくなるのである。本実施形態の筐体１の放熱構造では、発熱体となるＤＶＤ装置６とＨＤ装置９は区画２０内に位置し、ＢＤ装置７、カードリーダー８は区画２１内に位置しており、区画毎にファン２２，２３が取付けられているため熱の相互干渉がない状態で排熱できる。そして、ＢＤ装置７は装置に取付けられた個別のファン２５により筐体１外へダクト２７を通して排熱されるため、筐体内に熱の影響を与えることがない。
【００３０】
つぎに、本発明の他の実施形態を図９に基づき詳細に説明する。図９は本発明に係る電気機器の放熱構造の他の実施形態を示す要部を分解した状態の斜視図である。なお、この実施形態は前記した実施形態に対し、発熱体に設置された個別のファンから排出される排気を筐体の外部に導く放熱通路を構成するダクトが、可撓性を有する蛇腹管から構成されていることを特徴とする。そして、他の実質的に同等の構成については同じ符号を付して詳細な説明は省略する。
【００３１】
図９において、発熱体であるＢＤ装置７が備えている個別のファン２５と、筐体１の排気孔２６とは蛇腹管３０で連結されている。蛇腹管３０は、例えばコイル状の金属線をフィルム等で被覆したものであり、両端部に固定された固定板３１、３２を個別ファン２５側のＢＤ装置７のケースと、筐体１の排気孔２６を囲むように裏面部１４に固定している。この構成により、ＢＤ装置７内の熱は蛇腹管３０を通して筐体１の外部に排出される構成となっている。蛇腹管３０は可撓性を有し、中間のコイル状部分で入口部の固定板３１と出口部の固定板３２とがフレキシブルに連結されるものである。このため、筐体１から浮いた状態で支持されているＢＤ装置７の移動を妨げることがなく、筐体１に加わった衝撃等が、直接ＢＤ装置７に伝達されることはない。
【００３２】
この実施形態の放熱構造では、前記の実施形態と同様に２つの区画はそれぞれに設置された放熱ファンで放熱され、個別のファン２５からの排気は蛇腹管３０を通して排気孔２６から筐体１の外部に排出される。このように複数の区画は、それぞれの区画に設置された放熱ファンで放熱されると共に、ＢＤ装置７に装着された個別のファン２５からの排気は筐体１の内部に排出されず、直接筐体外に排気孔２６から排出されるため、発熱体である複数の装置間の熱干渉を防ぐことができ、効率良い放熱ができて複数の装置の機能を安定させることができる。
【００３３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、個別の放熱手段である装置ファンと筐体の排気孔とを接続する可撓性を有するダクトとしては、軟質ゴムのパイプ材で形成してもよい。
【００３４】
発熱体に設置された個別の放熱手段から排出される熱を排気する筐体の排気孔は筐体の裏面に形成される例について説明したが、筐体の側面や上面に形成してもよい。また、筐体の底板に形成した吸気孔はスリット等であってもよい。放熱手段として、排気型の放熱ファンの例を示したが、吸気型の放熱手段を用いて排気スリットや排気孔から放熱するように構成してもよい。放熱ファンとしてはシロッコファンを用いてもよい。ダクトと筐体との接続部分や、ダクトと発熱体との接続部分に挟まれる緩衝体は、リング状のスポンジで形成してもよい。
【産業上の利用可能性】
【００３５】
本発明の活用例として、筐体内に仕切り材として仕切り板を固定して内部を複数の区画に分割する放熱構造を用いて、ハードディスク装置やＤＶＤ装置等を内蔵するパーソナルコンピュータ等の筐体に適用できる。
【図面の簡単な説明】
【００３６】
【図１】本発明に係る電気機器の放熱構造を備える記録再生装置の一実施形態の斜視図。
【図２】図１の蓋体を開いた状態の斜視図。
【図３】図１の筐体の上板を外した状態の正面側から見た斜視図。
【図４】発熱体がフローティング支持されている部分を示す図３のＡ−Ａ線に沿う要部断面図。
【図５】図１の筐体の上板を外した状態の背面側から見た斜視図。
【図６】図５を模式的に示す上板を外した状態の斜視図。
【図７】放熱通路部分を分解して示す斜視図。
【図８】図７の放熱通路部分の要部断面図。
【図９】本発明に係る電気機器の放熱構造を備える記録再生装置の他の実施形態を示す要部を分解した状態の斜視図。
【符号の説明】
【００３７】
１：筐体、１１ａ：吸気孔、６：ＤＶＤ装置（発熱体）、７：ＢＤ装置（発熱体）８：カードリーダー（発熱体）、９：ＨＤ装置（発熱体）、１６：クッション材（緩衝体）、１８：仕切り板（仕切り材）、２０，２１：区画、２２，２３：放熱ファン（放熱手段）、２５：個別ファン（個別放熱手段）、２６：排気孔、２７：ダクト（放熱通路）、２８：クッション材（緩衝体）、３０：蛇腹管（ダクト）
【図１】
2006140415.tif 000003
【図２】
2006140415.tif 000004
【図３】
2006140415.tif 000005
【図４】
2006140415.tif 000006
【図５】
2006140415.tif 000007
【図６】
2006140415.tif 000008
【図７】
2006140415.tif 000009
【図８】
2006140415.tif 000010
【図９】
2006140415.tif 000011